(57)【要約】【課題】緊急通報先の電話番号の正確な入力が困難な状況においても、緊急通報及び位置情報を送信することができる端末装置等を提供すること。【解決手段】端末装置２０が移動状態であるか否かを判断する移動状態判断手段と、移動状態判断手段の判断結果に基づいて、予め規定した規定時間における番号の入力回数が、予め規定した緊急通報送信必要範囲内か否かを判断する入力回数評価手段と、入力回数評価手段の判断結果に基づいて、緊急通報先７０に対して緊急通報を送信する緊急通報送信手段と、入力回数評価手段の判断結果に基づいて、測位衛星１２ａ等からの信号である衛星信号に基づく測位を行い、現在位置を示す現在位置情報１６０を生成する現在位置情報生成手段と、緊急通報先７０に対して現在位置情報１６０を送信する現在位置情報送信手段と、を有する。【選択図】図３
2007026359.tif 000002
【特許請求の範囲】
【請求項１】
緊急通報先と通信するための通信手段と、
通信のための番号の入力を受ける番号入力手段と、
を有する端末装置であって、
前記端末装置が移動状態であるか否かを判断する移動状態判断手段と、
前記移動状態判断手段の判断結果に基づいて、予め規定した規定時間における前記番号の入力回数が、予め規定した緊急通報送信必要範囲内か否かを判断する入力回数評価手段と、
前記入力回数評価手段の判断結果に基づいて、前記緊急通報先に対して緊急通報を送信する緊急通報送信手段と、
前記入力回数評価手段の判断結果に基づいて、測位衛星からの信号である衛星信号に基づく測位を行い、現在位置を示す現在位置情報を生成する現在位置情報生成手段と、
前記緊急通報先に対して前記現在位置情報を送信する現在位置情報送信手段と、
を有することを特徴とする端末装置。
【請求項２】
前記入力回数評価手段は、同一の番号の前記入力回数が、前記緊急通報送信必要範囲内か否かを判断する構成となっていることを特徴とする請求項１に記載の端末装置。
【請求項３】
前記緊急通報送信必要範囲内の前記入力回数は、３回以上であることを特徴とする請求個１又は請求項２のいずれかに記載の端末装置。
【請求項４】
前記緊急通報送信手段による前記緊急通報の送信に先立って、前記端末装置の使用者に前記緊急通報の送信が必要か否かを確認する緊急通報必要性確認手段を有し、
前記緊急通報送信手段は、前記緊急通報の送信が不要であることを示す情報が入力されない場合に、前記緊急通報先に対して緊急通報を送信する構成となっていることを特徴とする請求項１乃至請求項３のいずれかに記載の端末装置。
【請求項５】
前記端末装置の作動電力を供給する電池の電池残量が、予め規定した規定電池残量範囲内か否かを判断する電池残量評価手段と、
前記電池残量評価手段による判断結果に基づいて、前記現在位置情報を連続的に生成する連続モード、又は、前記現在位置情報を間欠的に生成する間欠モードのいずれかを選択する測位モード選択手段と、
を有し、
前記通信手段は、前記緊急通報の送信後、前記現在位置情報送信手段によって最初に前記現在位置情報を送信するまでの間は前記緊急通報先との通信を継続し、前記現在位置情報送信手段によって最初に前記現在位置情報を送信した後は前記現在位置情報送信手段によって前記現在位置情報を送信するために必要な期間においてのみ通信を行う構成となっていることを特徴とする請求項１乃至請求項４のいずれかに記載の端末装置。
【請求項６】
前記移動状態判断手段は、前記端末装置の加速度を検出する構成となっていることを特徴とする請求項１乃至請求項５のいずれかに記載の端末装置。
【請求項７】
緊急通報先と通信するための通信手段と、通信のための番号の入力を受ける番号入力手段と、を有する端末装置が、前記端末装置が移動状態であるか否かを判断する移動状態判断ステップと、
前記端末装置が、前記移動状態判断ステップにおける判断結果に基づいて、予め規定した規定時間における前記番号の入力回数が、予め規定した緊急通報送信必要範囲内か否かを判断する入力回数評価ステップと、
前記端末装置が、前記入力回数評価ステップにおける判断結果に基づいて、前記緊急通報先に対して緊急通報を送信する緊急通報送信ステップと、
前記端末装置が、前記入力回数評価ステップにおける判断結果に基づいて、測位衛星からの信号である衛星信号に基づく測位を行い、現在位置を示す現在位置情報を生成する現在位置情報生成ステップと、
前記端末装置が、前記緊急通報先に対して前記現在位置情報を送信する現在位置情報送信ステップと、
を有することを特徴とする端末装置の制御方法。
【請求項８】
コンピュータに、
緊急通報先と通信するための通信手段と、通信のための番号の入力を受ける番号入力手段と、を有する端末装置が、前記端末装置が移動状態であるか否かを判断する移動状態判断ステップと、
前記端末装置が、前記移動状態判断ステップにおける判断結果に基づいて、予め規定した規定時間における前記番号の入力回数が、予め規定した緊急通報送信必要範囲内か否かを判断する入力回数評価ステップと、
前記端末装置が、前記入力回数評価ステップにおける判断結果に基づいて、前記緊急通報先に対して緊急通報を送信する緊急通報送信ステップと、
前記端末装置が、前記入力回数評価ステップにおける判断結果に基づいて、測位衛星からの信号である衛星信号に基づく測位を行い、現在位置を示す現在位置情報を生成する現在位置情報生成ステップと、
前記端末装置が、前記緊急通報先に対して前記現在位置情報を送信する現在位置情報送信ステップと、
を実行させることを特徴とする端末装置の制御プログラム。
【発明の詳細な説明】
【技術分野】
【０００１】
本発明は、緊急通報を送信する端末装置、端末装置の制御方法、端末装置の制御プログラムに関するものである。
【背景技術】
【０００２】
警察機関や消防機関などの緊急通報先への通報等においては、通報者の位置情報の送信が重要な場合がある。
例えば、「総務省、情報通信審議会、情報通信技術分化会、緊急通報機能等高度化委員会」が平成１６年５月に提出した「携帯電話からの緊急通報における発信者位置情報通知機能に係る技術的条件−緊急通報機能等高度化委員会  報告書（案）−」には、緊急通報時の初期段階に、所定の測位精度の位置情報を移動機が送出すべきことが記載されている。
これに関連して、簡易携帯電話機が、入力された番号が緊急通報であることを検出した場合に、位置情報を緊急通報先に送信する技術がある（例えば、特許文献１）。  
【特許文献１】特開平１１−２５９７８４号公報（図１等）
【発明の開示】
【発明が解決しようとする課題】
【０００３】
しかし、例えば、凶器を保持する者に追いかけられている場合等の緊急事態においては、携帯電話機等の端末装置の使用者は、身体の自由が利かず、また、精神的にも落ち着いて行動することのできない状態、つまり、身体的・精神的な余裕がない状態であると考えられるため、警察機関等の緊急通報先の電話番号を正確に押すことができない場合がある。
このような場合こそ、緊急度が高く、位置情報を緊急通報先に送信する必要があるにもかかわらず、上述の技術においては、警察機関等の緊急通報先の電話番号を正確に押すことができない場合には、位置情報を送信することができないという問題がある。
【０００４】
そこで、本発明は、緊急通報先の電話番号の正確な入力が困難な状況においても、緊急通報及び位置情報を送信することができる端末装置、端末装置の制御方法、端末装置の制御プログラムを提供することを目的とする。
【課題を解決するための手段】
【０００５】
前記目的は、第１の発明によれば、緊急通報先と通信するための通信手段と、通信のための番号の入力を受ける番号入力手段と、を有する端末装置であって、前記端末装置が移動状態であるか否かを判断する移動状態判断手段と、前記移動状態判断手段の判断結果に基づいて、予め規定した規定時間における前記番号の入力回数が、予め規定した緊急通報送信必要範囲内か否かを判断する入力回数評価手段と、前記入力回数評価手段の判断結果に基づいて、前記緊急通報先に対して緊急通報を送信する緊急通報送信手段と、前記入力回数評価手段の判断結果に基づいて、測位衛星からの信号である衛星信号に基づく測位を行い、現在位置を示す現在位置情報を生成する現在位置情報生成手段と、前記緊急通報先に対して前記現在位置情報を送信する現在位置情報送信手段と、を有することを特徴とする端末装置によって達成される。
【０００６】
第１の発明の構成によれば、前記端末装置は、前記移動状態判断手段を有するから、前記端末装置が移動状態であるか否かを判断することができる。
ここで、前記端末装置が移動状態である場合には、前記端末装置の使用者が、例えば、凶器を保持する者に追いかけられて逃げている等の緊急事態に遭遇していることも考えられるが、緊急事態ではなく単に移動している場合もあり得る。ところが、さらに、前記端末装置の使用者によって、無意味な番号入力が一定回数行われた場合には、その使用者が緊急事態に直面して警察機関等へ通報しようとしているが、身体的・精神的な余裕がなく、警察機関等への通報のための電話番号を正確に押すことができない場合であると考えられる。  
この点、前記端末装置は、前記入力回数評価手段を有するから、予め規定した規定時間における前記番号の入力回数が、予め規定した緊急通報送信必要範囲内か否かを判断することができる。これは、前記端末装置は、その使用者が緊急事態に直面していて、前記緊急通報先の電話番号の正確な入力が困難な状況であるか否かを判断することができることを意味する。
そして、前記端末装置は、前記緊急通報送信手段を有するから、前記入力回数評価手段の判断結果に基づいて、前記緊急通報先に対して緊急通報を送信することができる。
さらに、前記端末装置は、前記現在位置情報生成手段を有するから、前記入力回数評価手段の判断結果に基づいて、測位衛星からの信号である衛星信号に基づく測位を行い、現在位置を示す現在位置情報を生成することができる。
そして、前記端末装置は、前記現在位置情報送信手段を有するから、前記緊急通報先に対して前記現在位置情報を送信することができる。
これにより、前記端末装置は、緊急通報先の電話番号の正確な入力が困難な状況においても、緊急通報及び位置情報を送信することができる。
【０００７】
第２の発明は、第１の発明の構成において、前記入力回数評価手段は、同一の番号の前記入力回数が、前記緊急通報送信必要範囲内か否かを判断する構成となっていることを特徴とする端末装置である。
【０００８】
前記端末装置の使用者が、緊急事態にあるときには、身体的・精神的な余裕がなく、指の位置を変えることもできず、緊急通報先の電話番号を入力しようとしても、同一の番号を複数回入力する可能性が大きい。  
この点、第２の発明の構成によれば、前記入力回数評価手段は、同一の番号の前記入力回数が、前記緊急通報送信必要範囲内か否かを判断する構成となっているから、前記端末装置の使用者の緊急事態を適切に判断し、前記緊急通報先に対して、緊急通報とともに位置情報を送信することができる。
【０００９】
第３の発明は、第１の発明又は第２の発明のいずれかの構成において、前記緊急通報送信必要範囲内の前記入力回数は、３回以上であることを特徴とする端末装置である。
前記入力回数が、１回であれば、例えば、前記端末装置の使用者が前記番号入力手段に誤って触れた可能性がある。ところが、現在の日本国における警察機関等の電話番号は３桁であるから、前記入力回数が３回以上であれば、前記端末装置の使用者が警察機関等の電話番号を入力しようとした可能性が大きい。
この点、第３の発明の構成によれば、前記緊急通報送信必要範囲内の前記入力回数は、３回以上であるから、前記緊急通報先に対して誤報による緊急通報を送信することを回避することができる。
一方で、前記端末装置は、前記端末装置の使用者が緊急自体に遭遇している可能性が高い場合に、前記緊急通報先に対して前記緊急通報及び前記現在位置情報を送信することができる。
【００１０】
第４の発明は、第１の発明乃至第３の発明のいずれかの構成において、前記緊急通報送信手段による前記緊急通報の送信に先立って、前記端末装置の使用者に前記緊急通報の送信が必要か否かを確認する緊急通報必要性確認手段を有し、前記緊急通報送信手段は、前記緊急通報の送信が不要であることを示す情報が入力されない場合に、前記緊急通報先に対して緊急通報を送信する構成となっていることを特徴とする端末装置である。
【００１１】
第４の発明の構成によれば、前記端末装置は、前記緊急通報必要性確認手段を有するから、前記緊急通報送信手段による前記緊急通報の送信に先立って、前記端末装置の使用者に前記緊急通報の送信が必要か否かを確認することができる。
これにより、前記端末装置は、前記緊急通報先に対して、不必要に前記緊急通報を送信することを防止することができる。
そして、前記緊急通報送信手段は、前記緊急通報の送信が不要であることを示す情報が入力されない場合に、前記緊急通報先に対して緊急通報を送信する構成となっている。
これにより、前記端末装置の使用者が緊急状態にあって、前記緊急通報の送信が不要であることを示す情報を入力する余裕がない場合であっても、前記緊急通報先に対して前記緊急通報を送信することができる。
【００１２】
第５の発明は、第１の発明乃第４の発明のいずれかの構成において、前記端末装置の作動電力を供給する電池の電池残量が、予め規定した規定電池残量範囲内か否かを判断する電池残量評価手段と、前記電池残量評価手段による判断結果に基づいて、前記現在位置情報を連続的に生成する連続モード、又は、前記現在位置情報を間欠的に生成する間欠モードのいずれかを選択する測位モード選択手段と、を有し、前記通信手段は、前記緊急通報の送信後、前記現在位置情報送信手段によって最初に前記現在位置情報を送信するまでの間は前記緊急通報先との通信を継続し、前記現在位置情報送信手段によって最初に前記現在位置情報を送信した後は前記現在位置情報送信手段によって前記現在位置情報を送信するために必要な期間においてのみ通信を行う構成となっていることを特徴とする端末装置である。
【００１３】
第５の発明の構成によれば、前記端末装置は、前記測位モード選択手段を有するから、前記電池残量評価手段による判断結果に基づいて、前記連続モード又は前記間欠モードのいずれかを選択することができる。これにより、前記端末装置は、前記電池残量が少ない場合には、前記間欠モードを選択することにより、電力消費を節約し、長期間前記現在位置情報を生成することができる。一方、前記端末装置は、前記電池残量が多い場合には、前記連続モードを選択することにより、継続的に前記現在位置情報を生成することができる。
また、前記通信手段は、前記緊急通報の送信後、前記現在位置情報送信手段によって最初に前記現在位置情報を送信するまでの間は前記緊急通報先との通信を継続するから、前記現在位置情報を生成次第、前記現在位置情報を前記緊急通報先に送信することができる。
そして、前記通信手段は、前記現在位置情報送信手段によって最初に前記現在位置情報を送信した後は前記現在位置情報送信手段によって前記現在位置情報を送信するために必要な期間においてのみ通信を行う構成となっているから、電力消費を低減することができる。
【００１４】
第６の発明は、第１の発明乃至第５の発明のいずれかの構成において、前記移動状態判断手段は、前記端末装置の加速度を検出する構成となっていることを特徴とする端末装置である。
第６の発明の構成によれば、前記移動状態判断手段は、前記端末装置の加速度を検出することによって、前記端末装置が移動状態であるか否かを判断することができる。
【００１５】
前記目的は、第７の発明によれば、緊急通報先と通信するための通信手段と、通信のための番号の入力を受ける番号入力手段と、を有する端末装置が、前記端末装置が移動状態であるか否かを判断する移動状態判断ステップと、前記端末装置が、前記移動状態判断ステップにおける判断結果に基づいて、予め規定した規定時間における前記番号の入力回数が、予め規定した緊急通報送信必要範囲内か否かを判断する入力回数評価ステップと、前記端末装置が、前記入力回数評価ステップにおける判断結果に基づいて、前記緊急通報先に対して緊急通報を送信する緊急通報送信ステップと、前記端末装置が、前記入力回数評価ステップにおける判断結果に基づいて、測位衛星からの信号である衛星信号に基づく測位を行い、現在位置を示す現在位置情報を生成する現在位置情報生成ステップと、前記端末装置が、前記緊急通報先に対して前記現在位置情報を送信する現在位置情報送信ステップと、を有することを特徴とする端末装置の制御方法によって達成される。  
【００１６】
第７の発明の構成によれば、第１の発明の構成と同様に、緊急通報先の電話番号の正確な入力が困難な状況においても、緊急通報及び位置情報を送信することができる。
【００１７】
前記目的は、第８の発明によれば、コンピュータに、緊急通報先と通信するための通信手段と、通信のための番号の入力を受ける番号入力手段と、を有する端末装置が、前記端末装置が移動状態であるか否かを判断する移動状態判断ステップと、前記端末装置が、前記移動状態判断ステップにおける判断結果に基づいて、予め規定した規定時間における前記番号の入力回数が、予め規定した緊急通報送信必要範囲内か否かを判断する入力回数評価ステップと、前記端末装置が、前記入力回数評価ステップにおける判断結果に基づいて、前記緊急通報先に対して緊急通報を送信する緊急通報送信ステップと、前記端末装置が、前記入力回数評価ステップにおける判断結果に基づいて、測位衛星からの信号である衛星信号に基づく測位を行い、現在位置を示す現在位置情報を生成する現在位置情報生成ステップと、前記端末装置が、前記緊急通報先に対して前記現在位置情報を送信する現在位置情報送信ステップと、を実行させることを特徴とする端末装置の制御プログラムによって達成される。
【発明を実施するための最良の形態】
【００１８】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。  
【００１９】
図１は、本発明の実施の形態に係る緊急通報システム１０を示す概略図である。
図１に示すように、緊急通報システム１０は、端末２０を有する。端末２０は、端末装置の一例である。端末２０は、甲に保持されている。
端末２０は、ＧＰＳ（Ｇｌｏｂａｌ  Ｐｏｓｉｔｉｏｎｉｎｇ  Ｓｙｓｔｅｍ）衛星１２ａ，１２ｂ，１２ｃ及び１２ｄから信号Ｓ１，Ｓ２，Ｓ３及びＳ４を受信して現在位置を測位することができる。
端末２０は、図１に示すように、例えば、甲が刃物を持った乙に追いかけられているような緊急事態であって、緊急通報の電話番号を正しく入力する余裕がない場合にも、緊急通報及び端末２０の現在位置を示す現在位置情報を基地局４０及び専用回線６０を介して管理サーバ７０へ送信することができるようになっている。
管理サーバ７０は、例えば、警察機関（図示せず）に配置されている。警察機関は、緊急通報先の一例である。
端末２０は、上述のように、例えば、携帯電話機であるが、これに限らず、例えば、ＰＨＳ（Ｐｅｒｓｏｎａｌ  Ｈａｎｄｙ−ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｃｅ）等であってもよい。
なお、本実施の形態とは異なり、ＧＰＳ衛星１２ａ等は、３個でもよいし、５個以上でもよい。
【００２０】
（端末２０の外観及び主なハードウエア構成について）
図２は端末２０の外観等を示す概略図である。
図２（ａ）は、端末２０の外観の一例を示す概略図である。
図２（ａ）は、使用者甲が端末２０を使用するときに、使用者甲に向く側を示しており、液晶画面２０ａ、電源スイッチ２０ｂ、操作ボタン群２０ｃを有する。
端末２０は、操作ボタン群２０ｃによって、通信のための番号の入力を受ける。この操作ボタン群２０ｃは、番号入力手段の一例である。  
【００２１】
図２（ｂ）は、端末２０のハードウエア構成の一例を示す概略図である。
図２（ｂ）に示すように、端末２０は、コンピュータを有しており、コンピュータは、バス２２を有する。
このバス２２には、ＣＰＵ（Ｃｅｎｔｒａｌ  Ｐｒｏｃｅｓｓｉｎｇ  Ｕｎｉｔ）２４、記憶装置２６等が接続されている。記憶装置２６は、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等である。
【００２２】
また、このバス２２には、各種情報等を入力するための入力装置２８、端末２０の作動電力を供給する電池３０、ＧＰＳ衛星１２ａ等（図１参照）から信号Ｓ１等を受信するためのＧＰＳ装置３２、端末２０の加速度を検出する加速度センサ３４、管理サーバ７０と通信するための通信装置３６、各種情報を表示するための表示装置３８が接続されている。
上述の電池３０は電池の一例であり、通信装置３６は通信手段の一例である。
【００２３】
（端末２０の主なソフトウエア構成について）
図３は、端末２０の主なソフトウエア構成を示す概略図である。
図３に示すように、端末２０は、各部を制御する制御部１００、図２のＧＰＳ装置３２に対応するＧＰＳ部１０２、加速度センサ３４に対応する加速度センサ部１０４、通信装置３６に対応する通信部１０６等を有する。
端末２０は、また、各種プログラムを格納する第１記憶部１１０、各種情報等を格納する第２記憶部１５０を有する。
【００２４】
図３に示すように、端末２０は、第２記憶部１５０に、衛星軌道情報１５２を格納している。衛星軌道情報１５２は、すべてのＧＰＳ衛星１２ａ等の概略の軌道情報を示すアルマナック１５２ａ、及び、各ＧＰＳ衛星１２ａ等の精密な軌道情報を示すエフェメリス１５２ｂを含む。
端末２０は、衛星軌道情報１５２を、信号Ｓ１等に基づく測位に使用する。
【００２５】
図３に示すように、端末２０は、第１記憶部１１０に、移動状態判断プログラム１１２を格納している。移動状態判断プログラム１１２は、制御部１００が、端末２０が移動状態であるか否かを判断するためのプログラムである。すなわち、移動状態判断プログラム１１２と制御部１００は、移動状態判断手段の一例である。
具体的には、制御部１００は、加速度センサ３４（図２（ｂ）参照）を制御し、端末２０の加速度を検出した場合に、端末２０が移動中であると判断するようになっている。
【００２６】
図３に示すように、端末２０は、第１記憶部１１０に、入力状態評価プログラム１１４を格納している。入力状態評価プログラム１１４は、制御部１００が、上述の移動状態判断プログラム１１２の判断結果に基づいて、例えば、１秒（ｓ）間に同じ番号が３回以上入力されたか否かを判断するためのプログラムである。上述の１秒（ｓ）間は、予め規定した規定時間の一例である。また、３回以上の入力は、予め規定した緊急通報送信必要範囲内の一例である。そして、入力状態評価プログラム１１４と制御部１００は、入力回数評価手段の一例である。
具体的には、制御部１００は、上述の移動状態判断プログラム１１２によって端末２０が移動状態であると判断した場合に、１秒（ｓ）間に同じ番号が３回以上入力されたという条件（以後、入力条件と呼ぶ）を満たすか否かを判断する。
【００２７】
図３に示すように、端末２０は、第１記憶部１１０に、通報必要性確認プログラム１１６を格納している。通報必要性確認プログラム１１６は、制御部１００が、上述の入力状態評価プログラム１１４によって、入力条件を満たすと判断した場合に、使用者甲に緊急通報メッセージ１５６の送信が必要か否かを確認するためのプログラムである。この通報必要性確認プログラム１１６と制御部１００は、緊急通報必要性確認手段の一例である。
具体的には、制御部１００は、表示部３８に「緊急通報メッセージを送信しますか？送信しない場合には、０を押してください」という緊急通報確認メッセージ１５４を表示することによって、使用者甲に緊急通報メッセージ１５６の送信が必要か否かを確認するようになっている。
【００２８】
図３に示すように、端末２０は、第１記憶部１１０に、緊急通報メッセージ送信プログラム１１８を格納している。緊急通報メッセージ送信プログラム１１８は、制御部１００が、上述の入力状態評価プログラム１１４による評価及び通報必要性確認プログラム１１６による確認結果に基づいて、管理サーバ７０に対して、緊急通報メッセージ１５６を送信するためのプログラムである。すなわち、緊急通報メッセージ送信プログラム１１８と制御部１００は、緊急通報送信手段の一例である。
具体的には、制御部１００は、入力状態評価プログラム１１４によって上述の入力条件を満たすと判断し、通報必要性確認プログラム１１６によって緊急通報メッセージ１５６を表示した後に、使用者甲によって０番のボタンが押されない場合に、管理サーバ７０に対して、「緊急事態です」という緊急通報メッセージ１５６を送信するようになっている。このように、制御部１００は、０番のボタンが押されない場合には、緊急通報メッセージ１５６の送信が不要であることを示す情報が入力されないと判断し、緊急通報メッセージ１５６を送信するようになっている。
【００２９】
図３に示すように、端末２０は、第１記憶部１１０に、電池残量評価プログラム１２０を格納している。電池残量評価プログラム１２０は、制御部１００が、電池３０（図２（ｂ）参照）の電池残量が、５０％以上か否かを判断するためのプログラムである。５０％以上の電池残量は、予め規定した規定電池残量範囲内の一例である。そして、電池残量評価プログラム１２０と制御部１００は、電池残量評価手段の一例である。
【００３０】
図３に示すように、端末２０は、第１記憶部１１０に、測位モード決定プログラム１２２を格納している。測位モード決定プログラム１２２は、制御部１００が、上述の電池残量評価プログラム１２０による判断結果に基づいて、連続測位モード１５８ａ又は間欠測位モード１５８ｂのいずれかを選択するためのプログラムである。連続測位モード１５８ａ等は第２記憶部１５０に格納されている測位モード情報１５８に含まれている。連続測位モード１５８ａは、１秒（ｓ）間に１回測位を行う測位モードである。そして、間欠測位モード１５８ｂは、１０秒（ｓ）間に１回測位を行う測位モードである。この連続測位モード１５８ａは連続モードの一例であり、間欠測位モード１５８ｂは間欠モードの一例である。そして、測位モード決定プログラム１２２と制御部１００は、測位モード選択手段の一例である。
具体的には、制御部１００は、上述の電池残量評価プログラム１２０によって、電池残量が５０％以上であると判断した場合には、連続測位モード１５８ａを選択する。これに対して、制御部１００は、電池残量が５０％未満であると判断した場合には、間欠測位モード１５８ｂを選択する。
【００３１】
図３に示すように、端末２０は、第１記憶部１１０に、測位プログラム１２４を格納している。測位プログラム１２４は、制御部１００が、ＧＰＳ衛星１２ａ等からの信号Ｓ１等（図１参照）に基づく測位を行い、現在位置を示す測位位置情報１６０を生成するためのプログラムである。この測位位置情報１６０は現在位置情報の一例である。そして、測位プログラム１２４と制御部１００は、現在位置情報生成手段の一例である。
具体的には、制御部１００は、上述の入力状態判断プログラム１１４によって入力条件を満たすと判断した場合に、測位モード決定プログラム１２２によって選択した連続測位モード１５８ａ又は間欠測位モード１５８ｂによって、測位を行うようになっている。
制御部１００は、生成した測位位置情報１６０を第２記憶部１５０に格納する。
【００３２】
図３に示すように、端末２０は、第１記憶部１１０に、測位位置情報送信プログラム１２６を格納している。測位位置情報送信プログラム１２６は、制御部１００が、管理サーバ７０（図１参照）に対して、測位位置情報１６０を送信するためのプログラムである。すなわち、測位位置情報送信プログラム１２６と制御部１００は、現在位置情報送信手段の一例である。
図３に示すように、端末２０は、第１記憶部１１０に、通信装置制御プログラム１２６を格納している。通信装置制御プログラム１２６は、制御部１００が、通信装置３６（図２（ｂ）参照）の作動状態を制御するためのプログラムである。
具体的には、制御部１００は、通信装置３６によって、管理サーバ７０に対して緊急通報メッセージ１５６を送信した後、制御部１００が最初に測位位置情報１６０を送信するまでの間は管理サーバ７０との通信を継続させるようになっている。
そして、制御部１００が通信装置３６によって、最初に測位位置情報１６０を送信した後は、新たに生成した測位位置情報１６０を送信するために必要な期間においてのみ通信を行わせるようになっている。
【００３３】
端末２０は、上述のように構成されている。
上述のように、端末２０は、端末２０が移動状態であるか否かを判断することができる。
ここで、端末２０が移動状態である場合には、使用者甲が、例えば、凶器を保持する乙に追いかけられて逃げている等の緊急事態に遭遇していることも考えられるが、緊急事態ではなく単に移動している場合もあり得る。ところが、さらに、使用者甲によって、無意味な番号入力が一定回数行われた場合には、その使用者甲が緊急事態に直面して警察機関等へ通報しようとしているが、身体的・精神的な余裕がなく、警察機関等への通報のための電話番号を正確に押すことができない場合であると考えられる。  
この点、端末２０は、予め規定した規定時間である例えば、１秒（ｓ）間における番号の入力回数が、予め規定した例えば、３回以上か否かを判断することができる。これは、端末２０は、その使用者甲が緊急事態に直面していて、警察機関等の電話番号の正確な入力が困難な状況であると判断することができることを意味する。
そして、端末２０は、入力条件を満たす場合に、管理サーバ７０に対して緊急通報メッセージ１５６（図３参照）を送信することができる。
さらに、端末２０は、入力条件を満たす場合に、ＧＰＳ衛星１２ａ等からの信号Ｓ１等に基づく測位を行い、測位位置情報１６０を生成することができる。
そして、端末２０は、管理サーバ７０に対して測位位置情報１６０を送信することができる。
これにより、端末２０は、緊急通報先の電話番号の正確な入力が困難な状況においても、緊急通報メッセージ１５６及び測位位置情報１６０を送信することができる。
【００３４】
ここで、端末２０の使用者甲が、緊急事態にあるときには、身体的・精神的な余裕がなく、指の位置を変えることもできず、緊急通報先の電話番号を入力しようとしても、同一の番号を複数回入力する可能性が大きい。  
この点、端末２０は、同一の番号の入力回数が、３回以上か否かを判断する構成となっているから、使用者甲の緊急事態を適切に判断し、管理サーバ７０に対して、緊急通報とともに位置情報を送信することができる。
また、入力回数が、１回であれば、例えば、使用者甲が操作ボタン群２０ｃに誤って触れた可能性がある。ところが、現在の日本国における警察機関等の電話番号は３桁であるから、入力回数が３回以上であれば、使用者甲が警察機関等の電話番号を入力しようとした可能性が大きい。
この点、入力条件に規定される入力回数は、３回以上であるから、管理サーバ７０に対して誤報による緊急通報メッセージ１５６を送信することを回避するとともに、緊急通報メッセージ１５６が必要な可能性が高い場合に、管理サーバ７０に対して緊急通報メッセージ１５６及び測位位置情報１６０を送信することができる。
【００３５】
さらに、端末２０は、緊急通報メッセージ１５６の送信に先立って、緊急通報確認メッセージ１５４を表示することによって、使用者甲に緊急通報メッセージ１５６の送信が必要か否かを確認することができる。これにより、端末２０は、管理サーバ７０に対して、不必要に緊急通報メッセージ１５６を送信することを防止することができる。
また、端末２０は、緊急通報メッセージ１５６の送信が不要であることを示す情報が入力されない場合に、管理サーバ７０に対して緊急通報メッセージ１５６を送信する構成となっているから、使用者甲が緊急状態にあって、緊急通報メッセージ１５６の送信が不要であることを示す情報を入力する余裕がない場合であっても、管理サーバ７０に対して緊急通報メッセージ１５６を送信することができる。
【００３６】
また、端末２０は、電池残量に基づいて、連続測位モード１５８ａ又は間欠測位モード１５８ｂのいずれかを選択することができる。これにより、端末２０は、電池残量が少ない場合には、間欠測位モード１５８ｂを選択することにより、電力消費を節約し、長期間測位位置情報１６０を生成することができる。一方、端末２０は、電池残量が多い場合には、連続測位モード１５８ａを選択することにより、継続的に測位位置情報１６０を生成することができる。
また、通信装置３６（図２参照）は、緊急通報メッセージ１５６の送信後、最初に測位位置情報１６０を送信するまでの間は管理サーバ７０との通信を継続するから、測位位置情報１６０を生成次第、測位位置情報１６０を管理サーバ７０に送信することができる。
そして、通信装置３６は、最初に測位位置情報１６０を送信した後は、新たな測位位置情報１６０を送信するために必要な期間においてのみ通信を行う構成となっているから、電力消費を低減することができる。
【００３７】
以上が本実施の形態に係る端末２０の構成であるが、以下、その動作例を主に図４を使用して説明する。
図４は本実施の形態に係る端末２０の動作例を示す概略フローチャートである。
【００３８】
まず、端末２０は、移動中か否かを判断する（図４のステップＳＴ１）。このステップＳＴ１は、移動状態判断ステップの一例である。
ステップＳＴ１において、端末２０が、移動中であると判断した場合には、１秒（ｓ）間に同じボタンが３回以上押下されたか否かを判断する（ステップＳＴ２）。このステップＳＴ２は、入力回数評価ステップの一例である。
【００３９】
ステップＳＴ２において、端末２０が、１秒（ｓ）間に同じボタンが３回以上押下されたと判断した場合には、表示装置３８（図２（ｂ）参照）に緊急通報確認メッセージ１５４を表示する（ステップＳＴ３）。
続いて、端末２０は、通報キャンセルボタンである番号０のボタンが押下されたか否かを判断する（ステップＳＴ４）。
【００４０】
ステップＳＴ４において、端末２０が、通報キャンセルボタンが押下されていないと判断した場合には、緊急通報メッセージ１５６（図３参照）を送信する（ステップＳＴ５）。このステップＳＴ５は、緊急通報送信手段の一例である。
続いて、端末２０は、電池残量が５０％以上か否かを判断する（ステップＳＴ６）。
【００４１】
ステップＳＴ６において、端末２０が、電池残量が５０％以上であると判断した場合には、連続測位モード１５８ａ（図３参照）で測位を開始し（ステップＳＴ７）、測位位置情報１６０（図３参照）を生成し（ステップＳＴ８）、その測位位置情報１６０を送信する（ステップＳＴ９）。
これに対して、ステップＳＴ６において、端末２０が、電池残量が５０％以上ではないと判断した場合には、間欠測位モード１５８ｂ（図３参照）で測位を開始し（ステップＳＴ７Ａ）、測位位置情報１６０（図３参照）を生成し（ステップＳＴ８Ａ）、その測位位置情報１６０を送信する（ステップＳＴ９Ａ）。
上述のステップＳＴ８及びステップＳＴ８Ａは、現在位置情報生成ステップの一例である。そして、ステップＳＴ９及びステップＳＴ９Ａは、現在位置情報送信ステップの一例である。
【００４２】
続いて、端末２０が、停止ボタンが押されたか否かを判断する（ステップＳＴ１０）。
ステップＳＴ１０において、端末２０が、停止ボタンが押されたと判断した場合には、作動を終了し、停止ボタンが押されていないと判断した場合には、ステップＳＴ１以降の各ステップを繰り返す。
以上のステップにより、端末２０は、緊急通報先の電話番号の正確な入力が不可能な状況においても、緊急通報及び位置情報を送信することができる。
【００４３】
（プログラム及びコンピュータ読み取り可能な記録媒体等について）
コンピュータに上述の動作例の移動状態判断ステップと、入力回数評価ステップと、緊急通報送信ステップと、現在位置情報生成ステップと、現在位置情報送信ステップ等を実行させるための端末装置の制御プログラムとすることができる。
また、このような端末装置の制御プログラム等を記録したコンピュータ読み取り可能な記録媒体等とすることもできる。
【００４４】
これら端末装置の制御プログラム等をコンピュータにインストールし、コンピュータによって実行可能な状態とするために用いられるプラグラム格納媒体は、例えばフロッピー（登録商標）のようなフレキシブルディスク、ＣＤ−ＲＯＭ（Ｃｏｍｐａｃｔ  Ｄｉｓｃ  Ｒｅａｄ  Ｏｎｌｙ  Ｍｅｍｏｒｙ）、ＣＤ−Ｒ（Ｃｏｍｐａｃｔ  Ｄｉｓｃ−Ｒｅｃｏｒｄａｂｌｅ）、ＣＤ−ＲＷ（Ｃｏｍｐａｃｔ  Ｄｉｓｃ−Ｒｅｗｒｉｔａｂｌｅ）、ＤＶＤ（Ｄｉｇｉｔａｌ  Ｖｅｒｓａｔｉｌｅ  Ｄｉｓｃ）などのパッケージメディアのみならず、プログラムが一時的若しくは永続的に格納される半導体メモリ、磁気ディスクあるいは光磁気ディスクなどで実現することができる。
【００４５】
本発明は、上述の各実施の形態に限定されない。さらに、上述の各実施の形態は、相互に組み合わせて構成するようにしてもよい。  
【図面の簡単な説明】
【００４６】
【図１】本発明の実施の形態に係る緊急通報システムを示す概略図である。
【図２】端末の外観等を示す概略図である。
【図３】端末の主なソフトウエア構成を示す概略図である。
【図４】端末の動作例を示す概略フローチャートである。
【符号の説明】
【００４７】
１２ａ，１２ｂ，１２ｃ，１２ｄ・・・ＧＰＳ衛星、２０・・・端末、４０・・・基地局、６０・・・専用回線、７０・・・管理サーバ、１１２・・・移動状態判断プログラム、１１４・・・入力状態評価プログラム、１１６・・・通報必要性確認プログラム、１１８・・・緊急通報メッセージ送信プログラム、１２０・・・電池残量評価プログラム、１２２・・・測位モード決定プログラム、１２４・・・測位プログラム、１２６・・・測位位置情報送信プログラム
【図１】
2007026359.tif 000003
【図２】
2007026359.tif 000004
【図３】
2007026359.tif 000005
【図４】
2007026359.tif 000006